(57)【要約】【課題】  磁性補助ベアリングを提供する。【解決手段】  主に軸芯、ファン台、ベアリングを含む。該ベアリングケース内には複数の球体を具え、該ベアリングは該軸芯に嵌設し、該軸芯は該ベアリングのサポートを受け回転する。該ファン台は中空の軸台を具え、収容空間を形成し、該軸芯は該軸台内に設置する。該軸芯の周囲には磁性部品を環状に設置し、該軸芯に対して磁性吸引作用を生じる。これにより、ファン羽ホイールこしきを一定の位置に固定する。【選択図】  図  １
2006177406.tif 000002
【特許請求の範囲】
【請求項１】
主に軸芯、ファン台、ベアリングを含み、
該ベアリングは該軸芯に嵌設し、該軸芯は該ベアリングのサポートを受け回転し、
該ファン台は中空の軸台を具え、収容空間を形成し、該軸芯は該軸台内に設置し、
該軸芯の周囲には磁性部品を環状に設置し、該軸芯に対して磁性吸引作用を生じ、ファン羽ホイールこしきを一定の位置に固定することを特徴とする磁性補助ベアリング。
【請求項２】
前記磁性部品と前記軸芯は一定の間隔距離を保持することを特徴とする請求項１記載の磁性補助ベアリング。
【請求項３】
前記磁性部品の外縁と前記軸台内縁は接触することを特徴とする請求項１或いは２記載の磁性補助ベアリング。
【発明の詳細な説明】
【技術分野】
【０００１】
本発明は一種の磁性補助ベアリングに関する。特に一種のモーターの軸台中に設置する少なくとも１個の磁性部品を利用し、軸芯を吸引し、これにより軸芯を安定的に軸に従い回転させ、球体とベアリングを順調に運転させることができる磁性補助ベアリングに係る。
【背景技術】
【０００２】
ＩＴ産業の急速な発展に伴い、電子製品のＣＰＵの処理速度も高速化しており、それに従い発生する熱量も増加している。このような熱量を効果的に排除するために、現在では散熱装置が最も基本的な配備となっている。その散熱装置においては、使用上の利便性が高く価格もリーズナブルであることから、多くは散熱ファンが常用されている。
該散熱ファンの品質の善し悪しは、しばしばモーターの運転状態に左右される。すなわち、モーターの作動の不安定さはシステム或いは装置全体の正常な作動に悪影響を及ぼしかねず、またモーターベアリングはモーターの質量と作業の安定性のカギを握っている。
一般のモーターのボールベアリング内部には通常は複数の球体を使用する。ベアリングが運転すると、該球体は該ベアリングケース体内において回転する。
しかし、公知のベアリング内部には、モーターの運転とその性能に悪影響を及ぼす遊びが生じ易く、振動、騒音、発熱、パワーの浪費などの欠点を招いてしまう。
【０００３】
中華民国特許公告535855号に示す散熱ファン構造の改良はファン羽、コイル組、回路板、底板により構成する。
該ファン羽は軸芯を具え、該コイル組中に嵌設する。該コイル組内には上下に重なったボールベアリング及び含油ベアリングを具える。その2ベアリングの上下側はO型リング及びC型リングにより軸芯上において押さえられる。
該底板上には該軸芯底端位置に対応し磁性装置を設置し、該磁性装置により軸芯を吸引する。これにより、該ファン羽は固定位置において吸引、固定され、ボールベアリングに対して圧力を加えることになる。こうして、該ボールベアリング内のボールは同一軌道中において運転する。さらに、磁性装置は軸芯をも吸引するため、摩擦時に生じる騒音を消去することもできる。
しかし、上記公知技術に設置される磁性装置は平板形状であるため、該磁性装置は上記軸芯底端に対してのみ吸引力を発揮することができ、該ファンの運転時の軸芯の揺動、異音の発生を防止することはできないという欠点が存在する。
【発明の開示】
【発明が解決しようとする課題】
【０００４】
本発明は上記構造の問題点を解決した磁性補助ベアリングを提供するものである。
それは軸芯の周囲に磁性部品を環状に設置し、軸芯に対して磁性吸引作用を生じ、これにより該軸芯は軸に従い安定的に回転し、節電効果を達成し、
さらに軸芯が安定的な運転を維持することにより騒音を低減することができ、
また本発明の磁性補助ベアリングは各種異なるタイプのベアリングに適用可能である。
【課題を解決するための手段】
【０００５】
上記課題を解決するため、本発明は下記の磁性補助ベアリングを提供する。
それは主に軸芯、ファン台、ベアリングを含み、
該ベアリングケース内には複数の球体を具え、該ベアリングは該軸芯に嵌設し、該軸芯は該ベアリングのサポートを受け回転し、
該ファン台は中空の軸台を具え、収容空間を形成し、該軸芯は該軸台内に設置し、
該軸芯の周囲には磁性部品を環状に設置し、該軸芯に対して磁性吸引作用を生じ、ファン羽ホイールこしきを一定の位置に固定することを特徴とする磁性補助ベアリングである。
【発明の効果】
【０００６】
上記のように、本発明は軸芯の周囲に環状に設置する磁性部品により軸芯に対して磁性吸引作用を生じ、こうして該軸芯は軸に従い安定的に回転し、節電効果を達成し、さらに軸芯の安定的な運転は騒音を低減することもできる。また本発明の磁性補助ベアリングは各種異なるタイプのベアリングに適用可能である。
【発明を実施するための最良の形態】
【０００７】
図１に示すように、本発明はファン羽組１０、モーター組２０、ファン台３０を含む。
該ファン羽組１０はファン羽ホイールこしき１１、軸芯１２、モーターケース１３、棒状磁石１４により構成する。該軸芯１２は該ファン羽ホイールこしき１１の底部中央に形成する軸芯台１１１に設置し、該モーターケース１３は該ファン羽ホイールこしき１１の内側縁に設置し、該棒状磁石１４は該モーターケース１３内側縁に設置する。
該モーター組２０は該ファン台３０に嵌設し、該モーター組２０は絶縁フレーム２１、ケイ素鋼片２２、回路板２３、コイル２４により構成する。該ケイ素鋼片２２は該絶縁フレーム２１外部に設置し、該コイル２４と該ケイ素鋼片２２は該絶縁フレーム２１に巻きつく。
該ファン台３０の中心には中空の軸台３１を具え、該回路板２３は該絶縁フレーム２１底部と該軸台３１間に設置する。該軸芯１２は該軸台３１が形成する収容空間内に設置され、該軸芯１２外部と該軸台３１間にはベアリング３２（該ベアリングはボールベアリング、含油ベアリング、動圧ベアリングなど各種型式）を嵌設する。これにより、該軸芯１２は該ベアリング３２のサポートを受け回転する。
【０００８】
該軸芯１２の該ファン羽ホイールこしき１１と未接続の一端は、必要に応じて、各種形態（図１、２、３参照）に形成することができ、リングフック１５（図１、２参照）を嵌設することができる。しかも、該軸芯１２周囲には磁性部品Aを環状に設置し、該軸芯１２に対して磁性吸引作用を生じる。こうして、該ファン羽ホイールこしき１１は一定の位置において固定される。
また、該ベアリング３２はボールベアリング、含油ベアリング、動圧ベアリングなどであるが、特に含油ベアリング及び他の型式のベアリングに応用する時には、その軸に沿った安定的な作用力を提供することができるため、該ベアリング３２はスムーズに運転し、モーターの運転効率を向上させることができ、振動、騒音、発熱、パワーの浪費などの欠点を減少させ、使用寿命を延命することができる。
さらに、該軸台３１は底部３１１を具え、該軸１２の該ファン羽ホイールこしき１１に未接続の一端を押さえることができる。該底部３１１は独立した部品で、該軸台３１とは分離し、かつ該磁性部品Aが該軸芯１２に接触しないようにする（該磁性部品と該軸芯は一定の距離を隔てる）。すなわち、該磁性部品Aの外縁は該軸台３１の内縁とのみ接触する。
【０００９】
次に図２、３に示すように、本発明の第二、三最適実施例では、その構造は第一最適実施例とおよそ同様である。その相違点について以下に説明する。
磁性部品Aの大きさは軸芯１２に対応し、ベアリング３２の形状或いは大きさは調整可能である。
以上は本発明の最適実施例を述べたまでで、本発明を利用する上記の方法、形状、構造、装置のすべての変化は本発明の権利範囲に含まれるものとする。例えば磁性部品Aの形状、或いは設置形態は変更可能で、各種変化、修飾、応用により生じる同等の効果を持つ作用は、本発明の権利範囲内に含まれる。
【図面の簡単な説明】
【００１０】
【図１】本発明の第一最適実施例の指示図である。
【図２】本発明の第二最適実施例の指示図である。
【図３】本発明の第三最適実施例の指示図である。
【符号の説明】
【００１１】
１０  ファン羽組
１１  ファン羽ホイールこしき
１１１  軸芯台
１２  軸芯
１３  モーターケース
１４  棒状磁石
１５  リングフック
２０  モーター組
２１  絶縁フレーム
２２  ケイ素鋼片
２３  回路板
２４  コイル
３０  ファン台
３１  軸台
３１１  底部
３２  ベアリング
３３  孔口
A  磁性部品
【図１】
2006177406.tif 000003
【図２】
2006177406.tif 000004
【図３】
2006177406.tif 000005